(57)【要約】【課題】衣類などの洗濯を行う洗濯機において、制御装置の操作用スイッチを配置している側にリード線を這わすのをなくし、容易に配線できるようにする。【解決手段】洗濯機本体の上方を上部枠体により覆い、この上部枠体の一部を覆う操作パネル部の内部に制御装置１４を設け、この制御装置１４に複数のリード線１５、１６を接続する。制御装置１４は、電源部１７と操作表示部１８と電源スイッチ１９とを有し、電源部１７と電源スイッチ１９とを接続するリード線１６を制御装置１４の裏面側を経由して接続する。【選択図】　図１
2004073708.tif 000002
【特許請求の範囲】
【請求項１】
洗濯機本体と、この洗濯機本体の上方を覆う上部枠体と、この上部枠体の一部を覆う操作パネル部と、この操作パネル部の内部に設けた制御装置と、この制御装置に接続される複数のリード線とを備え、前記制御装置は、電源部と操作表示部と電源スイッチとを有し、前記電源部と電源スイッチとを接続するリード線を前記制御装置の裏面側を経由して接続した洗濯機。
【請求項２】
電源部と電源スイッチとを接続するリード線は、制御装置の裏面に設けたリード線拘束部で拘束した請求項１記載の洗濯機。
【請求項３】
リード線拘束部は、制御装置の外郭ケースに一体に設けた突起部により構成した請求項２記載の洗濯機。
【請求項４】
制御装置は、一端側に電源部、中央に操作表示部、他端側に電源スイッチを配した請求項１記載の洗濯機。
【発明の詳細な説明】
【０００１】
【発明の属する技術分野】
本発明は、衣類などの洗濯を行う洗濯機に関するものである。
【０００２】
【従来の技術】
従来、この種の洗濯機は図３および図４に示すような構成が一般的であった。以下その構成について説明する。
【０００３】
図３および図４に示すように、洗濯機本体１は、上方を上部枠体２により覆っており、この上部枠体２の前方に操作パネル部３を配し、この操作パネル部３の内側に運転制御用の各種電子部品を実装した制御装置４を配している。
【０００４】
制御装置４は、回路基板５とその周囲部を外郭ケース６にて囲むように構成しており、外郭ケース６は、回路基板５の防湿用充填材７の流出を防止する側壁部８を有している。
【０００５】
さらに、制御装置４には、複数の第１のコネクタ９を上方向に配設しており、第１のコネクタ９に対応した第２のコネクタ１０を有するリード線１１を制御装置４の上に這うように引き回している。操作パネル部３に、使用者が操作する複数の操作ボタン１２を設け、制御装置４に操作ボタン１２に対応して操作用スイッチ１３を配置し、操作ボタン１２を押すことにより操作用スイッチ１３をオンするようにしている。
【０００６】
【発明が解決しようとする課題】
このような従来の構成では、最近の洗濯機の高機能化により、操作ボタン１２を操作パネル部３いっぱいに配列するようになってきている。制御装置４には操作ボタン１２に対応して、多くの操作用スイッチ１３を配置しているため、制御装置４の操作用スイッチ１３を配置している側にリード線１１を這わすスペースが確保できないという問題を有していた。
【０００７】
本発明は上記従来の課題を解決するもので、制御装置の操作用スイッチを配置している側にリード線を這わすのをなくし、容易に配線できるようにすることを目的としている。
【０００８】
【課題を解決するための手段】
本発明は上記目的を達成するために、洗濯機本体の上方を上部枠体により覆い、この上部枠体の一部を覆う操作パネル部の内部に制御装置を設け、この制御装置に複数のリード線を接続するよう構成し、制御装置は、電源部と操作表示部と電源スイッチとを有し、電源部と電源スイッチとを接続するリード線を制御装置の裏面側を経由して接続したものである。
【０００９】
これにより、制御装置の操作用スイッチを配置している側にリード線を這わすのをなくすことができ、容易に配線することができる。
【００１０】
【発明の実施の形態】
本発明の請求項１に記載の発明は、洗濯機本体と、この洗濯機本体の上方を覆う上部枠体と、この上部枠体の一部を覆う操作パネル部と、この操作パネル部の内部に設けた制御装置と、この制御装置に接続される複数のリード線とを備え、前記制御装置は、電源部と操作表示部と電源スイッチとを有し、前記電源部と電源スイッチとを接続するリード線を前記制御装置の裏面側を経由して接続したものであり、電源部と電源スイッチとを接続するリード線を、制御装置の操作用スイッチを配置している側に這わすのをなくすことができ、容易に配線することができる。
【００１１】
請求項２に記載の発明は、上記請求項１に記載の発明において、電源部と電源スイッチとを接続するリード線は、制御装置の裏面に設けたリード線拘束部で拘束したものであり、組立時などにリード線の処理で戸惑うのをなくすることができる。
【００１２】
請求項３に記載の発明は、上記請求項２に記載の発明において、リード線拘束部は、制御装置の外郭ケースに一体に設けた突起部により構成したものであり、余計なコストをかけずにリード線拘束部を構成することができる。
【００１３】
請求項４に記載の発明は、上記請求項１に記載の発明において、制御装置は、一端側に電源部、中央に操作表示部、他端側に電源スイッチを配したものであり、製品として最も操作しやすい位置に操作ボタンと表示素子を配置することができ、使い勝手を向上することができる。
【００１４】
【実施例】
以下、本発明の一実施例について、図面を参照しながら説明する。なお、従来例と同じ構成のものは同一符号を付して説明を省略する。
【００１５】
図１および図２に示すように、制御装置１４は、操作パネル部３の内部に設け、この制御装置１４に複数のリード線１５、１６を接続している。制御装置１４は、電源部１７と操作表示部１８と電源スイッチ１９を有し、一端側に電源部１７を配置するとともに、中央に操作表示部１８を配置し、さらに、他端側に電源スイッチ１９を配置している。操作表示部１８に、操作ボタン１２に対応して操作用スイッチ１３を配置し、表示素子２０を配置している。
【００１６】
ここで、電源部１７と電源スイッチ１９とを接続するリード線１６は、制御装置１４の裏面側を経由して接続し、このリード線１６は、制御装置１４の裏面に設けたリード線拘束部２１で拘束し、このリード線拘束部２１は制御装置１４の外郭ケース２２に一体に設けた突起部により構成している。
【００１７】
上記構成において作用を説明する。制御装置１４は、電源部１７と操作表示部１８と電源スイッチ１９を有し、電源部１７と電源スイッチ１９とを接続するリード線１６を制御装置１４の裏面側を経由して接続しているので、リード線１６を制御装置１４の操作用スイッチ１３を配置している側に這わすのをなくすことができ、容易に配線することができる。
【００１８】
また、電源部１７と電源スイッチ１９とを接続するリード線１６は、制御装置１４の裏面に設けたリード線拘束部２１で拘束しているので、組立時などにリード線１６の処理で戸惑うのをなくすることができる。
【００１９】
また、リード線拘束部２１は、制御装置１４の外郭ケース２２に一体に設けた突起部により構成しているので、余計なコストをかけずにリード線拘束部２１を構成することができる。
【００２０】
また、制御装置１４は、一端側に電源部１７、中央に操作表示部１８、他端側に電源スイッチ１８を配置しているので、製品として最も操作しやすい位置に操作ボタン１２と表示素子２０を配置することができ、使い勝手を向上することができる。
【００２１】
【発明の効果】
以上のように、本発明の請求項１に記載の発明によれば、制御装置は、電源部と操作表示部と電源スイッチとを有し、電源部と電源スイッチとを接続するリード線を制御装置の裏面側を経由して接続することにより、制御装置の操作用スイッチを配置している側にリード線を這わすのをなくすことができ、容易に配線することができる。
【図面の簡単な説明】
【図１】（ａ）本発明の一実施例の洗濯機の制御装置の上方からみた斜視図
（ｂ）同洗濯機の制御装置の側面図
（ｃ）同洗濯機の制御装置の下方からみた斜視図
【図２】同洗濯機の要部縦断面図
【図３】従来の洗濯機の要部縦断面図
【図４】同洗濯機の要部分解斜視図
【符号の説明】
１　洗濯機本体
２　上部枠体
３　操作パネル部
１４　制御装置
１５　リード線
１６　リード線
１７　電源部
１８　操作表示部
１９　電源スイッチ
【図１】
2004073708.tif 000003
【図２】
2004073708.tif 000004
【図３】
2004073708.tif 000005
【図４】
2004073708.tif 000006